(57)【要約】【課題】  本発明は釣竿を腰元に据置させることにより腹部の痛みや、手の痺れ等を未然に防止するとともに、釣竿の据置角が容易に変更し得るようにして、素早く釣上げ可能な釣竿据置具を提供することを目的とする。【解決手段】  本発明は、第１ハウジング１０と；ベルト連結具２２が締結された第２ハウジング２０と；第１ハウジング１０の差込孔１２ａに差込まれるステイック部３１、該ステイック部３１の下部外周縁に包設されたスプリング３２、下端面で一方向に偏心切削されたギア部３３からなるストッパ３０と；ストッパ３０のギア部３３と噛合わされる内接ギア部４１が形成され、内側中央に第１ハウジング１０の差込部１２が差込まれ、第２ハウジング２０の安着溝２１に安着される凹入部４２が形成される作動具４０と；作動具４０の上端に締結され、上端側に釣竿が据置かれる据置具５０と；ステイック部３１上端側に構成される解除具６０が含まれてなる。【選択図】図２
2006158360.tif 000002
【特許請求の範囲】
【請求項１】
上端側に長形のガイド溝１１が形成され内側端に２個の差込孔１２ａ、１２ａを有する差込部１２が形成された第１ハウジング１０と、
内側中央に安着溝２１が形成され、上端側にベルト連結具２２が締結された第２ハウジング２０と、
上記第１ハウジング１０の内側の差込部１２に通孔された２個の差込孔１２ａ、１２ａに差込まれるステイック部３１が上側に形成され、該ステイック部３１の下部外周縁にはスプリング３２が包設され、下端面には一方向に偏心切削されたギア部３３が形成されたストッパ３０と、
内周縁に上記ストッパ３０のギア部３３と噛合わされる内接ギア部４１が形成され、内側中央に上記第１ハウジング１０の差込部１２が差込まれ、上記第２ハウジング２０の内側中央に形成された安着溝２１に安着される凹入部４２が形成され、上側端にボルト４３によって連結片４４が締結される作動具４０と、
上記作動具４０の上端に締結された連結片４４が下端内側に内挿されて締結され、上端側に釣竿が据置される据置具５０と、
上記第１ハウジング１０の上端側ガイド溝１１に貫通され、かつ、上記ストッパ３０のステイック部３１上端側に締結される締結ピン６１によって上記第１ハウジング１０の上端側に構成される解除具６０が含まれてなることを特徴とする釣竿据置具。
【発明の詳細な説明】
【技術分野】
【０００１】
本発明は、釣をする場合に、使用される釣装備のうち、釣竿を据置く釣竿据置具に関するものであって、特には、釣竿を使用者の腰に据置くことにより、釣をより容易に楽しむことができ、釣竿が腰に据置かれていることにより、魚の当りがあった場合、直ぐ釣竿を持上げることができるようにした釣竿据置具に関するものである。
【背景技術】
【０００２】
一般的に海岸釣、船上釣または防波堤釣等のような海釣を楽しむためには多様な釣装備等が必要である。
【０００３】
図６は、一般的な釣装備を利用して海岸釣をすることを表した概略図であって、図示されたとおり釣竿１と該釣竿に連結された釣糸２と、上記釣糸２に連結された孔浮き３と該孔浮きの下部に連結された潜水浮き４と、そして、上記潜水浮きの下部に輪５によって連結された連結紐６からなる。
【０００４】
上記のような釣装備の中、釣竿は使用者が常に手で把持した状態で使用するため、重量が軽い釣竿を好んで選ぶ場合があるが、釣竿の重量が軽いほど値段が高価である場合が殆どであることにより、釣竿の購入にあたっては費用負担が増加している。また、長時間に亘って釣竿を持ち上げながら魚の当りを待つ場合、使用者は釣竿を続けて持ち上げていなければならないといった不便さがある。
【０００５】
これにより、手首等に無理が伴うようになり、長時間釣をする場合、手が痺れたり、麻痺することが度々ある。
【０００６】
さらに、海岸釣等のような海釣の場合、釣竿の長さが長いほど多様な種類の魚を釣り上げるのに有利であるため、主に長い釣竿を使用するが、該釣竿の長さが長いほど釣竿を握っている手首に一層の負担が加えられるようになる。
【０００７】
上記のような問題点を解決するために、釣竿支え枠を利用して釣竿を支え枠の上に置いた後、上記支え枠を石や岩に固定させる方法が利用されている。
【０００８】
しかし、斯かる方法は、場所を移動する度毎に、地に固定させて置いていた支え枠を再び解体し、再度固定しなければならないといった不便が伴う問題点がある。
【０００９】
さらに、釣場所の地形によっては釣竿支え枠を設けることが困難である。即ち、海岸や船上で釣をする場合や、その他、流水の上で釣をする場合は、上記釣竿支え枠を使用するのが困難といった問題点がある。
【００１０】
上記の如き問題点を解決するべく特許文献１に係る釣竿据置装置が案出されたことがある。
【００１１】
これは、登録公報に記載された通り、釣竿支え枠を支持する水平板と、上記水平板が連結ピンによって回動可能に結合されている垂直板と、上記垂直板が固定リベットによって一面に結合されている支持板と、上記支持板の両側面を各々結合して、腹部まで延長された腰装着用メーンベルトおよび上記腰装着用メーンベルトと連結される腰装着用補助ベルトを含んでなる。
【００１２】
従って、釣竿を支持してくれる釣竿支え枠がベルトに備えられているので、釣場所や地形に係わりなく釣竿を何時、何処でも容易に据置くことができ、釣竿を手で把持しなくても釣を楽しむことができることにより、 長時間釣をする場合においても疲労感が軽減する効果が期待される。
【００１３】
しかし、上記釣竿据置装置は、釣竿支え枠を支持する水平板、垂直板および支持板等が使用者の腰回り全体に亘って着用されるメーンベルトに備えられていることにより、使用者が腹部に拒否感を感じるようになり、長時間使用すると、消化不良や、重いメーンベルトによって腰痛を来たすなどの問題点がある。
【００１４】
【特許文献１】韓国実用新案登録第２７５４４８号
【発明の開示】
【発明が解決しようとする課題】
【００１５】
本発明は、上記のように、釣をする場合、釣竿を据置く装備等が有する問題点を解決するために案出されたものであって、釣竿を腰回り全体でない腰元に据置き腹部の痛みや消化不良等の原因を未然に防止し、釣竿を手で持ち上げていなくても釣を楽しむことができるようにして、手の痺れや、手の痛みが誘発される現象を防止するばかりでなく、釣竿の据置角を容易に変更可能にして魚の当りがあった場合、素早く釣竿を持上げるようにした釣竿据置具を提供することを目的とする。
【課題を解決するための手段】
【００１６】
上記目的を達成するために、本発明の釣竿据置具は、上端側に長形のガイド溝が形成され、内側端に２個の差込孔を有する差込部が形成された第１ハウジングと、内側中央に安着溝が形成され、上端側に、ベルト連結具が締結された第２ハウジングと、上記第１ハウジングの内側の差込部に通孔された２個の差込孔に差込まれ、下部外周縁にはスプリングが包設され、下端面に一方向に偏心切削されたギア部を有するストッパと、内周縁に上記ストッパのギア部と噛み合わされる内接ギア部が形成され、内側中央に上記第１ハウジングの差込部が差込まれ、上記第２ハウジングの内側中央に形成された安着溝に安着される凹入部が形成され、上側端にボルトによって連結片が締結される作動具と、上記作動具の上端に締結された連結片が下端内側に内挿されて締結され、上端側に釣竿を据置される据置具と、上記第１ハウジングの上端側ガイド溝に貫通され、かつ、上記ストッパの上端側に締結される締結ピンによって上記第１ハウジングの上端側に構成される解除具が含まれてなることを特徴とする。
【００１７】
上記のような特徴からなる本発明の釣竿据置具は、釣竿が据置かれる据置具が作動具の一方向切削された内接ギア部と該内接ギア部に噛み合わされ、上記内接ギア部と同一な歯差を有するストッパのギア部によって一方向即ち、釣竿が持ち上げられる方向に回転可能であるので使用者が適切に調節して釣竿を据置くことにより、釣りを楽しむばかりでなく、釣竿を手で把持していないことにより容易に釣を楽しむことができる。
【００１８】
さらに、釣竿が持ち上げられた状態で解除具を引き寄せない場合には、釣竿が下がらないことにより、釣針にかかった魚との力比べが容易であるので魚を容易に釣上げることができる。
【００１９】
以下、本発明の釣竿据置具の構成および作用を添付の図面に基づいて、さらに具体的に説明する。
【００２０】
図１は本発明の釣竿据置具の構成を表した側断面図であり、図２は本発明の釣竿据置具の構成要部である作動具とストッパ間の結合状態を表した分解斜視図である。
【００２１】
図示されたように、本発明の釣竿据置具は、第１ハウジング１０、第２ハウジング２０、ストッパ３０、作動具４０、据置具５０及び解除具６０等によって構成されるものである。
【００２２】
即ち、本発明の釣竿据置具は、上端側に長形のガイド溝１１が形成され、内側端に２個の差込孔１２ａ、１２ａを有する差込部１２が形成された第１ハウジング１０と、内側中央に安着溝２１が形成され、上端側にベルト連結具２２が締結された第２ハウジング２０とを備えている。
【００２３】
また、上記第１ハウジング１０の内側の差込部１２に通孔された２個の差込孔１２ａ、１２ａに差込まれるステイック部３１が上側に形成され、該ステイック部３１の下部外周縁にはスプリング３２が包設され、下端面には、一方向に偏心切削されたギア部３３が形成されたストッパ３０を備えている。
【００２４】
また、内周縁に上記ストッパ３０のギア部３３と噛み合わされる内接ギア部４１が形成され、内側中央に上記第１ハウジング１０の差込部１２が差込まれ、上記第２ハウジング２０の内側中央に形成された安着溝２１に安着される凹入部４２が形成され、上側端にボルト４３によって連結片４４が締結される作動具４０を備えている。
【００２５】
また、上記作動具４０の上端に締結された連結片４４が下端内側に内挿されて締結され、上端側に釣竿が据置される据置具５０を備えている。
【００２６】
さらに、上記第１ハウジング１０の上端側ガイド溝１１に貫通され上記ストッパ３０のステイック部３１の上端側に締結される締結ピン６１によって上記第１ハウジング１０の上端側に構成される解除具６０を備えている。
【００２７】
上記のように構成された本発明の釣竿据置具を上記第２ハウジング２０の上端に締結されたベルト連結具２２を利用して使用者の腰元に固定させた後、上記据置具５０に釣竿を載せて釣を楽しむことができるが、釣竿が上記ベルト連結具２２によって腰元に固定されることにより、使用者は重い釣竿を手で把持しなくても釣を楽しむことができる。
【００２８】
また、それのみならず、上記釣竿(未図示)が安着される据置具５０が一方向言い換えれば、釣竿を持ち上げる方向に回転されるため、魚の当りがあった場合、釣竿を据置具５０から分離しないで、直ぐ釣竿を持ち上げることができ、素早く釣上げることができるので、魚を釣上げるのに、より容易である。またさらに、持ち上げられた状態で釣竿が固定されることにより、魚の当りと同時に、直ぐ釣竿の他側を持ち上げて魚と力比べをすることができる。
【００２９】
即ち、上記据置具５０が連結片４４を介して連結された作動具４０は、該作動具４０の内側に内接形成された内接ギア部４１が一方向に偏向切削されており、該内接ギア部４１に噛み合わされるストッパ３０のギア部３３もまた上記内接ギア部４１と同一な歯差で形成されている。そのことにより、上記作動具４０は、連結片４４を介して、連結された据置具５０の他方向、即ち、据置かれた釣竿が持ち上げられる方向側に回転が行なわれるため、魚の当りがあった場合に、釣竿の取手部分を下に押すと、図４に示したように、据置具５０と、連結片４４を介して締結された作動具４０が回転され、釣竿を素早く持ち上げることができる。
【００３０】
さらに、釣竿が持ち上げられた状態で使用者が釣竿の取手の押す力を解けば、上記釣竿は、持ち上げられた位置で固定されるが、使用者は魚を釣る過程で魚の振り払う力に対する対応力が顕著に減少され得るため、 釣をするのにより容易である。
【００３１】
上記のように、釣竿が持ち上げられた状態で固定されることが可能な理由は、上記釣竿が据置かれる据置具５０と連結片４４を介して締結された作動具４０の内接ギア部４１と該内接ギア部４１に噛み合わされる上記ストッパ３０のギア部３３が同一な方向に、偏向されるように切削されていることによるものである。即ち、上記作動具４０は一方向にだけ回転が可能であり、他方向には偏向切削された作動具４０の内接ギア部４１とストッパ３０のギア部３３によって回転が行なわれないことにより可能である。
【００３２】
上記のように一方向にのみ回転され前端側が持ち上げられた据置具５０を元来の位置に復元するには、図５に示されたように、上記作動具４０の内接ギア部４１に噛み合わされたストッパ３０のギア部３３を上記内接ギア部４１から離脱させることにより可能であって、該ストッパ３０の上端側に締結ピン６１によって締結された解除具６０を持ち上げれば、上記解除具６０と締結ピン６１によって上側が締結されたストッパ３０のステイック部３１が持ち上げられるようになり、これに従って、該ステイック部３１の下端に形成された上記ギア部３３が持ち上げられることにより、該ギア部３３は上記内接ギア部４１から噛み合わせが解けるようになり、上記作動具４０が他方向にのみ回転されるので、該作動具４０と締結された据置具５０を元来の位置に復元させることができる。
【００３３】
上記解除具６０は、上記第１ハウジング１０の上側端に形成された長形のガイド溝１１によって、締結ピン６１によって締結された上記解除具６０とストッパ３０のステイック部３１上端を昇降可能であることにより、持ち上げることが可能であるので、ストッパ３０と作動具４０間の噛み合いを解除することができる。
【００３４】
さらに、上記解除具６０を持ち上げる力が止まった場合、上記ストッパ３０は元来の位置に復元され該ストッパ３０の下端側に形成されたギア部３３が上記作動具４０の内接ギア部４１に再び噛み合わせられる。これは、上記ストッパ３０のステイック部３１の下部外周縁に差込まれたスプリング３２の復元力によって達成される。
【００３５】
即ち、ストッパ３０が解除具６０によって持ち上げられる過程で上記スプリング３２の上側端が上記ストッパ３０のステイック部３１が差込まれた第１ハウジング１０の差込部１２の下端面に掛かることにより圧縮されるようになっている。上記持ち上げられた解除具６０を離すと、圧縮されたスプリング３２自体の復元力によって復元されるようになり、上記ストッパ３０は元来の位置に復元され、該ストッパ３０のギア部３３が上記作動具４０の内接ギア部４１に再び噛み合わされる。
【００３６】
本発明の釣竿据置具は、魚の当りがあった場合、据置具５０に据置された釣竿の取手部分を押すことにより、素早く対処できるばかりでなく、釣竿が持ち上げられた状態で固定が可能であるため、魚との力比べが容易であるので魚を釣上げるのに、より容易である。また、持ち上げられた釣竿を解除具６０の持ち上げる動作によって元来の位置に復元させることができ、より容易に釣を楽しむことができる。
【００３７】
これ以外にも、本発明の釣竿据置具は多様に変形実施が可能であって、本発明の目的範囲を逸脱しない限り、変形される実施例等は全て本発明の権利範囲に含まれるものと解釈されるべきである。
【発明の効果】
【００３８】
上述のとおり、本発明の釣竿据置具によれば、釣竿を据置いて支持する据置具を使用者の腰ベルトまたは該腰ベルトに別途に固定された別途の固定具に上記ベルト連結具を連結して固定することにより、手首に負担をかけずに釣りを楽しむことができるばかりでなく、釣竿が据置される据置具が一方向に回転されて固定されることにより、魚の当りに素速く対処するのは勿論、魚との力くらべが容易であるので容易に釣を楽しむことができ、また、解除具を持ち上げる動作によって固定された据置具を元来の位置に簡単に復元させ得ることにより、釣手はより容易に、釣をすることができる効果が期待される。
【図面の簡単な説明】
【００３９】
【図１】本発明の釣竿据置具の構成を表した構成断面図である。
【図２】本発明の釣竿据置具の構成要部の結合状態を表した分解斜視図である。
【図３】本発明に基づく釣竿据置具の構成要部の結合状態を表した一部切開正面図である。
【図４】本発明に基づく釣竿据置具の据置具と作動具が一方向に回転されることを表した使用状態図である。
【図５】本発明に基づく釣竿据置具の据置具が、元来の位置に復元されるために、ストッパが持ち上げられた状態を表した使用状態図である。
【図６】従来の釣装備を利用して釣をすることを表した概略図である。
【符号の説明】
【００４０】
１０          第１ハウジング
１１          ガイド溝
１２          差込部
１２ａ        差込孔
２０          第２ハウジング
２１          安着溝
２２          ベルト連結具
３０          ストッパ
３１          ステイック部
３２          スプリング
３３          ギア部
４０          作動具
４１          内接ギア部
４２          凹入部
４３          ボルト
４４          連結片
５０          据置具
６０          解除具
６１          締結ピン
【図１】
2006158360.tif 000003
【図２】
2006158360.tif 000004
【図３】
2006158360.tif 000005
【図４】
2006158360.tif 000006
【図５】
2006158360.tif 000007
【図６】
2006158360.tif 000008